(57)【要約】【課題】空調装置への電力の安定供給を行うことができるＡＥＤ収納ボックス付街路灯を提供する。【解決手段】太陽光発電を行うソーラ電源１０と、照明装置２０と、ＡＥＤ収納ボックス３０と、外部電源６０を接続するための接続部６１と、バッテリ４０と、バッテリ４０の充電および送電を制御する制御装置５０とを備えており、ＡＥＤ収納ボックス３０は、内部温度を調整する空調装置３３を備え、バッテリ４０は、ソーラ電源１０および外部電源６０から充電可能であるとともに、照明装置２０および空調装置３３に給電可能であって、制御装置５０は、バッテリ４０の充電を制御する充電制御部５１を備えており、充電制御部５１は、外部電源６０よりもソーラ電源１０を優先してバッテリ４０を充電することを特徴とする。【選択図】図１
2017163767.tif 000002
【特許請求の範囲】
【請求項１】
太陽光発電を行うソーラ電源と、照明装置と、ＡＥＤ収納ボックスと、外部電源を接続するための接続部と、バッテリと、電気の流れを制御する制御装置とを備えており、
前記ＡＥＤ収納ボックスは、内部温度を調整する空調装置を備え、
前記バッテリは、前記ソーラ電源および前記外部電源から充電可能であるとともに、前記照明装置および前記空調装置に給電可能であって、
前記制御装置は、前記バッテリの充電を制御する充電制御部を備えており、
前記充電制御部は、前記外部電源よりも前記ソーラ電源を優先して前記バッテリを充電する
ことを特徴とするＡＥＤ収納ボックス付街路灯。
【請求項２】
前記充電制御部は、前記ソーラ電源からの供給電圧が所定の閾値以上の場合に、前記外部電源より前記ソーラ電源からの供給電力を優先して前記バッテリに充電する
ことを特徴とする請求項１に記載のＡＥＤ収納ボックス付街路灯。
【請求項３】
前記制御装置は、前記バッテリから前記照明装置および前記空調装置への給電を制御する給電制御部を備えており、
前記給電制御部は、前記外部電源からの給電が停止された場合に、給電停止から一定時間経過後に前記空調装置への給電を停止しつつ前記照明装置への給電を継続する
ことを特徴とする請求項１または請求項２に記載のＡＥＤ収納ボックス付街路灯。
【請求項４】
前記給電制御部は、給電停止後に前記外部電源からの給電が再開された場合に、前記空調装置への給電を再開し、
前記バッテリの充電が完了する前に前記外部電源からの給電が再度停止された場合に、最初の給電停止時間と二回目の給電停止時間を加算した時間が前記一定時間を超えた時点で前記空調装置への給電を停止しつつ前記照明装置への給電を継続する
ことを特徴とする請求項３に記載のＡＥＤ収納ボックス付街路灯。
【請求項５】
前記制御装置は、前記バッテリから前記照明装置および前記空調装置への給電を制御する給電制御部を備えており、
前記給電制御部は、前記外部電源からの給電が停止された場合に、前記バッテリの充電残量が一定値を下回ると前記空調装置への給電を停止しつつ前記照明装置への給電を継続する
ことを特徴とする請求項１または請求項２に記載のＡＥＤ収納ボックス付街路灯。
【発明の詳細な説明】
【技術分野】
【０００１】
本発明は、ＡＥＤ収納ボックス付街路灯に関する。
【背景技術】
【０００２】
多くの人命を救助するために、自動体外式除細動器（Ａｕｔｏｍａｔｅｄ  Ｅｘｔｅｒｎａｌ  Ｄｅｆｉｂｒｉｌｌａｔｏｒ：以下、「ＡＥＤ」という）が、駅構内や公共施設などの共用スペースに設置されるようになっている。ＡＥＤは、通常、収納ボックスに収納されて設置されている。近年では、ＡＥＤは、屋内だけでなく屋外でも設置される場合が増加してきている。ところで、ＡＥＤは、バッテリで作動するが、ＡＥＤの周辺温度が極端に高い場合や低い場合には、ＡＥＤの性能が悪化する虞がある。そのため、屋外にＡＥＤを設置する際には、空調装置を備えた収納ボックスが利用されている（特許文献１参照）。
【先行技術文献】
【特許文献】
【０００３】
【特許文献１】特開２０１２−５６６１号公報
【発明の概要】
【発明が解決しようとする課題】
【０００４】
特許文献１に記載の収納ボックスは、空調装置が商用電源などの外部電源から電力を得ている。そのため、外部電源の停電時には空調装置が停止して、ＡＥＤの周囲温度が不安定になってしまう。
【０００５】
そこで、本発明は、これらの問題に鑑みて創案されたものであり、空調装置への電力の安定供給を行うことができるＡＥＤ収納ボックス付街路灯を提供することを課題とする。
【課題を解決するための手段】
【０００６】
前記課題を解決するための本発明は、太陽光発電を行うソーラ電源と、照明装置と、ＡＥＤ収納ボックスと、外部電源を接続するための接続部と、バッテリと、電気の流れを制御する制御装置とを備えており、前記ＡＥＤ収納ボックスは、内部温度を調整する空調装置を備え、前記バッテリは、前記ソーラ電源および前記外部電源から充電可能であるとともに、前記照明装置および前記空調装置に給電可能であって、前記制御装置は、前記バッテリの充電を制御する充電制御部を備えており、前記充電制御部は、前記外部電源よりも前記ソーラ電源を優先して前記バッテリを充電することを特徴とするＡＥＤ収納ボックス付街路灯である。
【０００７】
このような構成によれば、バッテリから空調装置へ電力を供給しているので、停電時であっても空調装置への電力の安定供給を行える。したがって、ＡＥＤの周辺温度を適温に保つことができる。また、日照時にはソーラ電源からバッテリに優先的に充電しているので、外部電力の使用を停止できる。したがって、外部電力の電力費用を低減することができる。さらに、照明装置を設けているので、屋外の照明のない位置にＡＥＤを設置した場合に、夜間であってもＡＥＤの設置位置を明示することができる。
【０００８】
また、本発明に係るＡＥＤ収納ボックス付街路灯では、前記充電制御部は、前記ソーラ電源からの供給電圧が所定の閾値以上の場合に、前記外部電源より前記ソーラ電源からの供給電力を優先して前記バッテリに充電することが好ましい。
【０００９】
このような構成によれば、ソーラ電源の供給電圧が小さい場合は、外部電源から充電することで、バッテリの充電効率を高めることができる。
【００１０】
また、本発明に係るＡＥＤ収納ボックス付街路灯では、前記制御装置は、前記バッテリから前記照明装置および前記空調装置への給電を制御する給電制御部を備えており、前記給電制御部は、前記外部電源からの給電が停止された場合に、給電停止から一定時間経過後に前記空調装置への給電を停止しつつ前記照明装置への給電を継続することが好ましい。
【００１１】
このような構成によれば、停電時においても一定時間内であれば、空調装置へ電力の安定供給を行って、ＡＥＤの周辺温度を適温に保つことができる。つまり、一定時間のバックアップ電源を確保することができる。なお、一定時間経過後は、照明装置を優先することによって、夜間にＡＥＤを発見できないという事態を回避することができる。
【００１２】
さらに、前記ＡＥＤ収納ボックス付街路灯では、前記給電制御部は、給電停止後に前記外部電源からの給電が再開された場合に、前記空調装置への給電を再開し、前記バッテリの充電が完了する前に前記外部電源からの給電が再度停止された場合に、最初の給電停止時間と二回目の給電停止時間を加算した時間が前記一定時間を超えた時点で前記空調装置への給電を停止しつつ前記照明装置への給電を継続することが好ましい。
【００１３】
このような構成によれば、長時間に渡って複数回の停電が発生した場合に、バッテリの電力がなくなって照明装置が点灯できないという事態を回避することができる。
【００１４】
一方、本発明に係るＡＥＤ収納ボックス付街路灯では、前記制御装置は、前記バッテリから前記照明装置および前記空調装置への給電を制御する給電制御部を備えており、前記給電制御部は、前記外部電源からの給電が停止された場合に、前記バッテリの充電残量が一定値を下回ると前記空調装置への給電を停止しつつ前記照明装置への給電を継続することが好ましい。
【００１５】
このような構成によれば、外部電源の停電の時間や日照状態の影響を受けずに、バッテリの充電残量を正確に管理することができる。
【発明の効果】
【００１６】
本発明によれば、空調装置への電力の安定供給を行うことができる。
【図面の簡単な説明】
【００１７】
【図１】本発明の実施形態に係るＡＥＤ収納ボックス付街路灯を示した図であって、（ａ）は正面図、（ｂ）は側面図である。
【図２】本発明の実施形態に係るＡＥＤ収納ボックス付街路灯の電気の流れを示したブロック図である。
【図３】通常時の電気の流れを示した図であって、（ａ）は昼間のブロック図、（ｂ）は夜間のブロック図である。
【図４】停電時の電気の流れを示した図であって、（ａ）は停電時間が一定時間を超える前のブロック図、（ｂ）は停電時間が一定時間を超えた後のブロック図である。
【発明を実施するための形態】
【００１８】
本発明の実施形態に係るＡＥＤ収納ボックス付街路灯の構成について、添付図面を参照しつつ詳細に説明する。ＡＥＤ収納ボックス付街路灯１は、屋外スポーツ施設やスキー場等の屋外で照明設備がない場所に設けられて、街路灯の役目も果たす。まずは、図１を参照しながら、ＡＥＤ収納ボックス付街路灯の全体構成を説明する。
【００１９】
図１に示すように、ＡＥＤ収納ボックス付街路灯１は、太陽光発電を行うソーラ電源１０と、照明装置２０と、ＡＥＤ収納ボックス３０と、外部電源を接続するための接続部と、バッテリ４０と、制御装置５０とを備えている。ソーラ電源１０と照明装置２０とＡＥＤ収納ボックス３０とバッテリ４０と制御装置５０は、基礎２に立設された支柱３に固定されている。支柱３は、ＡＥＤ収納ボックス付街路灯１の幅方向両端部に二本立設されている。一対の支柱３，３は、基礎２上に敷設されたベースプレート４上に固定されている。支柱３は、たとえば鋼管に亜鉛メッキを施した後ウレタン塗装した長尺材からなり、内部に電線を挿通可能に構成されている。
【００２０】
ソーラ電源１０は、パネル表面に複数のセル１１，１１・・が並列された太陽電池モジュール１２を備えている。本実施形態では、太陽電池モジュール１２は、パネルの両面にセル１１が設けられた両面受光型が採用されている。太陽電池モジュール１２は、支柱３の上端部で、垂直に配置されている。太陽電池モジュール１２は、隣り合う支柱３，３間に架け渡されて取り付けられている。なお、太陽電池モジュールは、パネルの片面にセルが設けられた片面受光型であってもよい。この場合は、受光面が斜め上方を向くように太陽電池モジュールを傾斜して設けるのが好ましい。
【００２１】
照明装置２０は、ＬＥＤ照明２１と自動点灯機２２とを備えている。ＬＥＤ照明２１は、例えば消費電力９Ｗで、三段階調光可能な機器が採用されている。ＬＥＤ照明２１は、下方を照らす仕様となっており、ＡＥＤ収納ボックス付街路灯１を正面から見て手前側に張り出して配置されている。ＬＥＤ照明２１は、ソーラ電源１０の下方で、ＡＥＤ収納ボックス３０の上方に設けられている。
【００２２】
自動点灯機２２は、外部の明るさを検知して、外部が暗くなれば照明を自動点灯させ、明るくなれば自動消灯させる。照明の明るさは、外部の明るさに応じて三段階で調光される。自動点灯機２２は、ＬＥＤ照明２１とは逆側（ＡＥＤ収納ボックス付街路灯１を正面から見て奥側）に張り出して設けられている。
【００２３】
ＡＥＤ収納ボックス３０は、内部にＡＥＤを収容可能な直方体形状で、前面に開閉扉３１を備えた箱型を呈している。ＡＥＤ収納ボックス３０は、隣り合う支柱３，３間に架け渡されて取り付けられている。ＡＥＤ収納ボックス３０は、鉄板を焼付塗装してなる板材にて形成されており、箱の内側に断熱材を敷設してもよい。ＡＥＤ収納ボックス３０は、大人がＡＥＤを取り出しやすい高さ、たとえば箱の底部が地面から１２００ｍｍ程度の高さとなるように設置されている。ＡＥＤ収納ボックス３０は、内部温度を調整する空調装置３３（図２参照）を備えている。
【００２４】
空調装置３３は、ボックス内を冷やす冷却機器とボックス内を温める暖房機器と温度センサとを備えている。冷却機器は、ファンからなり、外気をボックス内へ導入しつつボックス内の空気を流動させることで、ボックス内温度を下げる。ファンは、たとえばボックス背面の上部と前面の下部の二箇所に設けられている。ファンを対角線上に設けることで、ボックス内の空気を効率的に流動させている。冷却機器は、ボックス内温度が４０℃を超えると作動し、ボックス内温度が３０℃まで下がると停止する。
【００２５】
暖房機器は、シリコンラバーヒータからなり、通電させることで、ボックス内温度を上げる。暖房機器は、ボックス内温度が１０℃より低くなると作動し、ボックス内温度が２０℃まで上がると停止する。なお、冷却機器と暖房機器の作動開始温度および停止温度は、一例であって、ＡＥＤ収納ボックス付街路灯１を設置する地域の気候に応じて、適宜変更することができる。温度センサは、バイメタル方式のセンサであって、ボックス内に設置されている。空調装置３３に電気を供給するための電気コード３４には、コンバータ３５が設けられている。コンバータ３５は、直流を交流に変換するＤＣ／ＡＣコンバータであって、バッテリ４０からの直流電力を、交流電力に変換して空調装置３３に流す。
【００２６】
ＡＥＤ収納ボックス３０の開閉扉３１には、警報ブザーが装着されている。警報ブザーは、開閉扉３１を開けると鳴動し、開閉扉３１を閉じると停止する。防犯上の設備としては、開閉扉３１を開けると回転する防犯赤色灯や、ＡＥＤ収納ボックス３０の前方を撮影する防犯カメラを装着してもよい。これら防犯上設備は、外部電源６０の電力で作動するものであるのが好ましい。
【００２７】
ＡＥＤ収納ボックス３０の上方には、設置場所表示板（サインボード）３６が設けられている。設置場所教示板３６は、照明装置２０の下方で、隣り合う支柱３，３間に架け渡されて取り付けられている。設置場所教示板３６は、ＡＥＤ収納ボックス３０の上方の高い位置に設けられているので、遠くからでもＡＥＤが保存されていることを視認することができる。また、設置場所教示板３６は、照明装置２０の下方に設けられているので、夜間であってもＡＥＤが保存されていることを視認することができる。
【００２８】
外部電源６０（図２参照）は、本実施形態では商用電源である。なお、外部電源６０は商用電源に限られるものではなく、たとえば自家発電機による電源であってもよい。外部電源６０を接続するための接続部は、後記する第二収納ボックス４１の背面に形成された屋外用コンセント６１である。屋外用コンセント６１は地中に配線された電線に接続されている。屋外用コンセント６１には、制御装置５０に繋がる電気コード６２が差し込まれる。電気コード６２には、コンバータ６３が設けられている。コンバータ６３は、交流を直流に変換するＡＣ／ＤＣコンバータであって、外部電源６０からの交流電力を、直流電力に変換してバッテリ４０に流す。
【００２９】
バッテリ４０（図２参照）は、制御装置５０を介してソーラ電源１０および外部電源６０に電気的に接続されており、ソーラ電源１０および外部電源６０から充電可能となっている。また、バッテリ４０は、照明装置２０およびＡＥＤ収納ボックス３０の空調装置３３に、制御装置５０を介して電気的に接続されており、照明装置２０および空調装置３３に給電可能となっている。バッテリ４０は、第二収納ボックス４１内に制御装置５０（図２参照）とともに収納されている。
【００３０】
バッテリ４０には、インジケータランプ４５が設けられている。インジケータランプ４５は、外部電源６０が停電したときに作動する。インジケータランプ４５は、バッテリ４０の残量に応じて点灯するものであって、バッテリ４０の残量が多く空調装置３３と照明装置２０の両方を作動可能な場合には緑色に点灯し、バッテリ４０の残量が少なく照明装置２０のみを作動可能な場合には赤色に点灯する。なお、照明装置２０も作動できない場合には、赤色が点滅する。
【００３１】
第二収納ボックス４１は、ＡＥＤ収納ボックス３０の下方で、隣り合う支柱３，３間に架け渡されて取り付けられている。第二収納ボックス４１は、内部にバッテリ４０と制御装置５０を収容可能な直方体形状で、前面に開閉扉４３を備えた箱型を呈している。開閉扉４３には、外からバッテリ４０のインジケータランプ４５を目視できるように、覗き穴が形成されている。
【００３２】
図２に示すように、制御装置５０は、充電制御部５１と給電制御部５２とを備えており、バッテリ４０の電気の流れを制御する。充電制御部５１は、バッテリ４０の充電の制御を行う部分である。充電制御部５１は、停電が発生していない通常時においては、バッテリ４０の充電量が常に満充電となるように充電を行う。なお、常に満充電とするのではなく、バッテリ４０の充電量が一定値以下になった場合に、電気供給を開始して満充電まで充電するようにしてもよい。
【００３３】
充電制御部５１は、ソーラ電源１０からの供給電圧が所定の閾値以上の場合は、外部電源６０よりもソーラ電源１０からの供給電力を優先してバッテリに充電する制御を行う。具体的には、充電制御部５１は、比較部と決定部とデータ記憶部とを備えている。比較部は、ソーラ電源１０の供給電圧値を受信して、予め入力された閾値と比較する。閾値は、バッテリ４０への効率的な充電を行うことができる電力量（電圧値）であって、適宜設定可能である。本実施形態では、閾値は、外部電源６０の電力量より小さく設定されており、外部電源６０による充電効率よりも、ソーラ電源１０の使用による省エネルギー効果を優先している。比較部は、ソーラ電源１０からの供給電圧が閾値より大きいか小さいかを決定部に送信する。決定部は、比較部からの信号に応じて、ソーラ電源１０または外部電源６０のいずれかを選択し、ソーラ電源１０、外部電源６０およびバッテリ４０間の電線の分岐スイッチ（図示せず）を切り替える信号を発信する。
【００３４】
なお、閾値の電力量を外部電源６０の供給電圧と同じ値にして、ソーラ電源１０と外部電源６０のうち供給電圧が大きい方を選択して、バッテリ４０に充電するようにしてもよい。この場合、より一層効率的なバッテリ４０への充電をできる。
【００３５】
通常時の昼間においては、ソーラ電源１０からの供給電圧は閾値よりも大きい（さらには外部電源６０からの供給電力の電圧値より大きい）ので、ソーラ電源１０からの供給電力でバッテリ４０を充電する（図３の（ａ）参照）。図３では、電気の流れを太線にて示している。日の出や日の入時においては、ソーラ電源１０からの供給電圧は、外部電源６０の供給電圧より小さくなるが、バッテリ４０への効率的な充電が行える電力量（閾値）以上のときに、ソーラ電源１０からの供給電力で充電することによって、外部電源６０の供給電力の消費を抑えて電気代の節約を図っている。通常時の夜間においては、ソーラ電源１０からの供給電力はないので、外部電源６０からの供給電力でバッテリ４０を充電する（図３の（ｂ）参照）。なお、停電時の昼間においては、決定部は、コンバータ６３から停電発生の信号を受信してソーラ電源１０からの供給電力でバッテリ４０を充電する。
【００３６】
給電制御部５２は、停電時におけるバッテリから照明装置２０および空調装置３３への給電を制御する。給電制御部５２は、停電等によって外部電源６０からの給電が停止された場合に、給電停止から一定時間経過後に空調装置３３への給電を停止しつつ照明装置２０への給電を継続する制御を行う。具体的には、給電制御部５２は、タイマー部と決定部とデータ記憶部とを備えている。タイマー部は、停電が発生すると、コンバータ６３から停電発生の信号を受信して停電時間のカウントを始める。タイマー部は、停電時間が一定時間を超えると、時間が経過したという信号を決定部に送信する。一定時間は、データ記憶部に入力されている。一定時間は、たとえば夏季では２４時間、冬季では１２時間と設定する。夏季は夏を含む４〜９月とし、冬季は冬を含む１０〜３月と設定する。なお、時間設定と季節設定は、設置地域の気候に応じて適宜変更が可能である。たとえば極寒地域では、冬季の設定時間を短くしたり、冬季の期間を長くしたりするとよい。
【００３７】
決定部は、停電時間が一定時間を経過した信号を受信すると、空調装置３３への給電を停止しつつ照明装置２０への給電を継続する信号を発信する。このように、停電時間が一定時間経過後に、照明装置２０のみへの給電とすることで、「夜間に照明装置２０が点灯せずにＡＥＤの設置位置が発見されない」という事態を可能な限り回避することができる。つまり、本実施形態では、温度変化によるＡＥＤの性能低下の防止よりもＡＥＤが発見されることを優先している。なお、昼間においては、外部電源６０が停電していても、ソーラ電源１０からの給電でバッテリ４０はある程度充電されるので、照明装置２０への給電時間を長くすることができる。また、停電時間が設定時間を超えたときが昼間の時間帯の場合は、照明装置２０は、自動点灯機２２によって自動消灯しているので、空調装置３３への給電を停止すると、バッテリ４０の電気がほとんど消費されなくなる。停電時間が設定時間を超えたときが夜間の時間帯の場合は、照明装置２０でバッテリ４０の電力を消費しているが、空調装置３３への給電は停止している（図４の（ｂ）参照）ので、消費電力は小さい。図４においても、電気の流れを太線にて示している。なお、停電時間が一定時間を経過する前には、バッテリ４０から照明装置２０と空調装置３３の両方へ給電を行っている（図４の（ａ）参照）。
【００３８】
夜間に外部電源６０からの給電が復旧すると、決定部は、コンバータ６３から給電復旧の信号を受信して空調装置３３への給電を再開する信号を発信する。そして、バッテリ４０が満充電されるまで給電を行う。なお、給電復旧が昼間であって、ソーラ電源１０からの供給電力の電圧が外部電源６０からの供給電力の電圧よりも大きい場合には、外部電源６０からの給電は行わず、ソーラ電源１０からの給電を優先して継続する。
【００３９】
給電制御部５２は、外部電源６０の給電が復旧した後に、バッテリ４０の充電が完了する前（満充電になる前）に外部電源６０からの給電が再度停止された場合には、最初の給電停止時間と二回目の給電停止時間を加算した時間が設定時間（一定時間）を超えた時点で、空調装置３３への給電を停止しつつ照明装置２０への給電を継続する制御を行うように構成されている。つまり、タイマー部では、バッテリ４０が満充電されるまでは、停電時間を加算しており、そのトータルの停電時間が設定時間を超えたかどうかを判定している。言い換えれば、バッテリ４０が満充電されると、停電時間がリセットされて、再度停電が発生したときには、ゼロから停電時間のカウントが始まる。
【００４０】
以上のような制御によれば、バッテリ４０が満充電される前に、停電が三回以上発生した場合にも、各停電時間を加算して、設定時間と比較することとなる。このように制御することによって、複数回停電が発生しても、バッテリ４０の充電残量が最低限の数値（照明装置２０を所定日数使用できる程度の充電残量）より低くなることを防ぐことができる。
【００４１】
なお、本実施形態では、満充電で充電が完了すると設定しているが、これに限定されるものではない。たとえばバッテリ４０の充電残量が９０％の状態を再停電の際の充電完了時と設定してもよい。この場合、充電残量が９０％で停電時間はリセットされるが、バッテリ４０は充電量が１００％の満充電になるまで充電する。
【００４２】
以上のような構成のＡＥＤ収納ボックス付街路灯１によれば、充電したバッテリ４０から照明装置２０および空調装置３３へ電力を供給しているので、停電時であっても空調装置３３への電力の安定供給を行える。つまり、ＡＥＤ収納ボックス付街路灯１は、夏季２４時間、冬季１２時間の停電バックアップ機能を備えていると言える。したがって、停電が発生したとしても、ＡＥＤ収納ボックス３０内のＡＥＤの周辺温度を一定時間適温に保つことができる。これによって、ＡＥＤの周辺温度による性能低下を防止できる。特に、低温時における電極パッドのジェルの凍結を防止できるので、救護対象者の肌に電極パッドを密着することができる。また、高温または低温時におけるＡＥＤのバッテリの性能低下を防止できるので、ＡＥＤを好適な状態で作動させることができる。
【００４３】
さらに、本実施形態では、給電制御部５２によって、バッテリ４０が常に満充電になるように制御されているので、停電時におけるバックアップ可能な時間を可能な限り多く確保することができる。
【００４４】
また、日照時にはソーラ電源１０からバッテリ４０に充電できるので、外部電源６０の電力の使用を停止できる。特に、日照時にはソーラ電源１０からバッテリ４０に優先的に充電しているので、外部電源６０からの電力の使用を可能な限り停止できる。したがって、省エネルギーと電気代の節約を大幅に達成できる。また、外部電源６０は夜間に使用することとなるので、値段が安い夜間電力を利用することができる。
【００４５】
さらに、照明装置２０を設けているので、街路灯の役目を果たし、屋外の照明のない位置にＡＥＤを設置した場合に、夜間であってもＡＥＤの設置位置を明示することができる。また、照明装置２０の明かりにより、夜間でも救命処置を行いやすい。照明装置２０はＬＥＤ照明２１であるので、消費電力を低減できる。
【００４６】
また、給電制御部５２は、外部電源６０からの給電が停止された場合に、給電停止から一定時間経過後に空調装置３３への給電を停止しつつ照明装置２０への給電を継続する制御を行うように構成されているので、停電時においても一定時間内であれば、空調装置３３へ電力の安定供給を行って、ＡＥＤの周辺温度を適温に保つことができる。一定時間経過後は、照明装置２０への給電を優先することによって、夜間にＡＥＤを発見できないという事態を回避することができる。さらに、照明装置２０はＬＥＤ照明２１を用いているので、消費電力が少なく長時間の照明を行うことができる。
【００４７】
以上、本発明を実施するための形態について説明したが、本発明は前記実施の形態に限定する趣旨ではなく、本発明の趣旨を逸脱しない範囲で適宜設計変更が可能である。たとえば、前記実施形態では、給電制御部５２は、停電開始から停電時間をカウントして、停電時間を基準として空調装置３３への給電を停止するようにしているが、これに限定されるものではない。バッテリ４０の充電残量（電圧値）を検出管理しておき、充電残量が一定値以下になったときに、空調装置３３への給電を停止するようにしてもよい。充電残量は、照明装置２０を一定時間（たとえば２日程度）作動させることができる数値に設定するのが好ましい。このような構成によれば、前記実施形態と比較して、空調装置３３への給電を可能な限り長くすることができるので、ＡＥＤの性能の低下を極力抑えることができる。
【符号の説明】
【００４８】
１      ＡＥＤ収納ボックス付街路灯
１０    ソーラ電源
２０    照明装置
３０    ＡＥＤ収納ボックス
３３    空調装置
４０    バッテリ
５０    制御装置
５１    充電制御部
５２    給電制御部
６０    外部電源
６１    屋外用コンセント（接続部）
【図１】
2017163767.tif 000003
【図２】
2017163767.tif 000004
【図３】
2017163767.tif 000005
【図４】
2017163767.tif 000006